(57)【要約】【課題】遊技媒体を払い出すモータ等の駆動手段に対する外部からの直接的な不正操作等に対抗し、かかる不正な払い出しを確実に防止する。【解決手段】左脇の演出用照明部２０１、２０３、２０５は、前記前扉３の一方の脇に設けられ、縦長形状に形成された第１の縦長発光部になっている。右脇の演出用照明部２０２、２０４、２０６は、前記前扉１の他方の脇に設けられ、縦長形状に形成された第２の縦長発光部になっている。スロットマシン１の制御基板は、遊技媒体払出手段であるメダル払出装置による遊技媒体の払い出し量に応じて前記第１または第２の縦長発光部による発光量を制御する発光制御手段になっている。【選択図】  図１
2010166988.tif 000002
【特許請求の範囲】
【請求項１】
前方に開口を有する筐体と、
前記筐体の内部に配置され、外周面に複数種類の図柄が描かれたリールと、
前記筐体に対して回動可能に取り付けられることで前記開口を開閉可能な状態で閉塞させる前扉と、
前記前扉に設けられ、当該前扉が前記開口を閉塞した状態で前記リールの前方に配置して当該リールを視認可能にする表示窓と、
前記前扉の一方の脇に設けられ、縦長形状に形成された第１の縦長発光部と、
前記前扉の他方の脇に設けられ、縦長形状に形成された第２の縦長発光部と、
遊技媒体を払い出す遊技媒体払出手段と、
前記遊技媒体払出手段による遊技媒体の払い出し量に応じて前記第１または第２の縦長発光部による発光量を制御する発光制御手段と、
を備えることを特徴とする遊技機。
【請求項２】
前記発光制御手段は、前記遊技媒体払出手段による遊技媒体の払い出し量が多くなる場合に前記第１及び第２の縦長発光部による発光量を増大させることを特徴とする請求項１に記載の遊技機。
【請求項３】
音声を出力する音声出力手段と、前記遊技媒体払出手段による遊技媒体の払い出し量が多くなる場合に音量を増大させる音量制御手段とを更に備えることを特徴とする請求項１または２に記載の遊技機。
【請求項４】
音声を出力する音声出力手段と、前記遊技媒体払出手段による遊技媒体の払い出し量が多くなる場合に音階を上げる音階制御手段とを更に備えることを特徴とする請求項１または２に記載の遊技機。
【請求項５】
前記遊技媒体払出手段は、複数の遊技媒体を収容し得るホッパーと、前記ホッパーの底部に配設され遊技媒体を受容して周回方向に搬送させる回転円板体と、前記回転円板体に回転駆動力を付与する駆動手段と、前記回転円板体によって所定位置に搬送された遊技媒体を放出する放出手段と、を備え、要求信号を受けたとき前記駆動手段が作動して遊技媒体を放出することを特徴とする請求項１乃至４のいずれかに記載の遊技機。
【請求項６】
前記遊技媒体払出手段は、回転円板体の回転を検出する回転検出手段と、前記放出手段が放出した遊技媒体の数を検出する放出数検出手段を更に備え、
前記第１または第２の縦長発光部の一方は、前記回転検出手段の検出結果に基づいて発光量が制御され、前記第１または第２の縦長発光部の他方は、前記放出数検出手段の検出結果に基づいて発光量が制御されることを特徴とする請求項５に記載の遊技機。
【請求項７】
前記遊技媒体払出手段は、回転円板体の回転を検出する回転検出手段と、前記放出手段が放出した遊技媒体の数を検出する放出数検出手段とを更に備え、
前記音声出力手段は、前記前扉の一方の脇に設けられた第１の音声出力部と、前記前扉の他方の脇に設けられた第２の音声出力部とを備え、
前記第１及び第２の音声出力部の一方は、前記回転検出手段の検出結果に基づいて音量が制御され、前記第１及び第２の縦長発光部の他方は、前記放出数検出手段の検出結果に基づいて音量が制御されることを特徴とする請求項５に記載の遊技機。
【請求項８】
前記遊技媒体払出手段は、回転円板体の回転を検出する回転検出手段と、前記放出手段が放出した遊技媒体の数を検出する放出数検出手段とを更に備え、
前記音声出力手段は、前記前扉の一方の脇に設けられた第１の音声出力部と、前記前扉の他方の脇に設けられた第２の音声出力部とを備え、
前記第１及び第２の音声出力部の一方は、前記回転検出手段の検出結果に基づいて音階が制御され、前記第１及び第２の音声出力の他方は、前記放出数検出手段の検出結果に基づいて音階が制御されることを特徴とする請求項５に記載の遊技機。
【発明の詳細な説明】
【技術分野】
【０００１】
本発明は、スロットマシン等の遊技機や貸出機の本体内に装備され、遊技において使用される遊技媒体を払い出す遊技媒体払出装置に関し、特に、不正な操作若しくは信号を発生させることで遊技媒体を不正に払い出させるような不正行為を効果的に防止し得る遊技機に関する。
【背景技術】
【０００２】
パチンコホール等に設置されている例えばスロットマシンで遊技をする際には、遊技媒体として遊技メダル（以下「メダル」という）が一般に使用されている。スロットマシンにおいては、遊技者がメダルを賭けて複数個のリールからなる可変表示装置を回転させ、各リールが停止したときに表示される図柄や数字等が所定の組み合わせとなったときに入賞が成立する。入賞が成立すると、スロットマシン本体内部のメダル払出装置（遊技媒体払出装置）が作動し、その入賞の態様に応じた枚数のメダルが前面の受け皿へ払い戻される。
【０００３】
また、メダル払出装置は、パチンコホール内の貸出機や両替機等にも用いられ、遊技者の貸し出し操作に応じて所定枚数のメダルを払い出して遊技者に貸与するものもある。
【０００４】
従来のメダル払出装置は、例えば、複数枚のメダルを貯留可能なホッパーと、モータで回転駆動される払出ディスク等を備えたメダル払出部と、実際に払い出されたメダルを検出する払出検出部と、外部の制御基板（例えばスロットマシンの主制御基板）が出力する払出要求信号を受けてメダル払出部のモータを駆動するとともに払出完了信号を受けてモータを停止させる払出制御手段と、上記払出検出部からの検出信号を計数し積算した実払出枚数が所与の払出枚数に達したと判定したときに上記払出完了信号を払出制御手段へ出力する計数手段とを備え構成されている。
【０００５】
ところで、このような従来のメダル払出装置においては、例えば不正器具の侵入や外部からの不正操作により、メダル払出部のモータを誤作動させ、不適切に多くのメダルを払い出させるといった不正行為が問題となっている。
【０００６】
悪意の遊技者等によるこのような不正行為を防止する対策として、例えば特許文献１には、上述の払出要求信号が出力されていない期間に払出検出部（フォトセンサ等）がメダルを検出したときにエラーを報知する技術や、また、払出要求信号が出力されたとしても既に払出検出部が検出信号を出力している場合には、メダル払出部のモータを駆動しないようにする等の技術が開示されている。
【先行技術文献】
【特許文献】
【０００７】
【特許文献１】特許第２７８１４９５号公報
【発明の概要】
【発明が解決しようとする課題】
【０００８】
しかし、上述した従来の技術によっても、例えばメダル払出部のセンサに対して不正操作を行い、メダルが払い出されているにもかかわらず、メダル払出部がメダルを検出しない状態とした場合、多量のメダルが払い出されてしまう等の問題があった。
【０００９】
本発明は、上記の問題に鑑み、遊技媒体を払い出すモータ等の駆動手段に対する外部からの直接的な不正操作等に対抗し、かかる不正な払い出しを確実に防止することができる等の遊技機を提供することを目的をとする。
【課題を解決するための手段】
【００１０】
上述した課題を解決するため、請求項１に記載の発明は、前方に開口を有する筐体と、前記筐体の内部に配置され、外周面に複数種類の図柄が描かれたリールと、前記筐体に対して回動可能に取り付けられることで前記開口を開閉可能な状態で閉塞させる前扉と、前記前扉に設けられ、当該前扉が前記開口を閉塞した状態で前記リールの前方に配置して当該リールを視認可能にする表示窓と、前記前扉の一方の脇に設けられ、縦長形状に形成された第１の縦長発光部と、前記前扉の他方の脇に設けられ、縦長形状に形成された第２の縦長発光部と、遊技媒体を払い出す遊技媒体払出手段と、前記遊技媒体払出手段による遊技媒体の払い出し量に応じて前記第１または第２の縦長発光部による発光量を制御する発光制御手段と、を備えることを特徴とする。
請求項２に記載の発明は、請求項１に記載の遊技機であって、前記発光制御手段は、前記遊技媒体払出手段による遊技媒体の払い出し量が多くなる場合に前記第１及び第２の縦長発光部による発光量を増大させることを特徴とする遊。
請求項３に記載の発明は、請求項１または２に記載の遊技機であって、音声を出力する音声出力手段と、前記遊技媒体払出手段による遊技媒体の払い出し量が多くなる場合に音量を増大させる音量制御手段とを更に備えることを特徴とする。
請求項４に記載の発明は、請求項１または２に記載の遊技機であって、音声を出力する音声出力手段と、前記遊技媒体払出手段による遊技媒体の払い出し量が多くなる場合に音階を上げる音階制御手段とを更に備えることを特徴とする。
請求項５に記載の発明は、請求項１乃至４のいずれかに記載の遊技機であって、前記遊技媒体払出手段は、複数の遊技媒体を収容し得るホッパーと、前記ホッパーの底部に配設され遊技媒体を受容して周回方向に搬送させる回転円板体と、前記回転円板体に回転駆動力を付与する駆動手段と、前記回転円板体によって所定位置に搬送された遊技媒体を放出する放出手段と、を備え、要求信号を受けたとき前記駆動手段が作動して遊技媒体を放出することを特徴とする。
請求項６に記載の発明は、請求項５に記載の遊技機であって、前記遊技媒体払出手段は、回転円板体の回転を検出する回転検出手段と、前記放出手段が放出した遊技媒体の数を検出する放出数検出手段を更に備え、前記第１または第２の縦長発光部の一方は、前記回転検出手段の検出結果に基づいて発光量が制御され、前記第１または第２の縦長発光部の他方は、前記放出数検出手段の検出結果に基づいて発光量が制御されることを特徴とする。
請求項７に記載の発明は、請求項５に記載の遊技機であって、前記遊技媒体払出手段は、回転円板体の回転を検出する回転検出手段と、前記放出手段が放出した遊技媒体の数を検出する放出数検出手段とを更に備え、前記音声出力手段は、前記前扉の一方の脇に設けられた第１の音声出力部と、前記前扉の他方の脇に設けられた第２の音声出力部とを備え、  前記第１及び第２の音声出力部の一方は、前記回転検出手段の検出結果に基づいて音量が制御され、前記第１及び第２の縦長発光部の他方は、前記放出数検出手段の検出結果に基づいて音量が制御されることを特徴とする。
請求項８に記載の発明は、請求項５に記載の遊技機であって、前記遊技媒体払出手段は、回転円板体の回転を検出する回転検出手段と、前記放出手段が放出した遊技媒体の数を検出する放出数検出手段とを更に備え、前記音声出力手段は、前記前扉の一方の脇に設けられた第１の音声出力部と、前記前扉の他方の脇に設けられた第２の音声出力部とを備え、前記第１及び第２の音声出力部の一方は、前記回転検出手段の検出結果に基づいて音階が制御され、前記第１及び第２の音声出力の他方は、前記放出数検出手段の検出結果に基づいて音階が制御されることを特徴とする。
【発明の効果】
【００１１】
本発明によれば、遊技媒体払出手段による遊技媒体の払い出し量に応じて前記第１または第２の縦長発光部による発光量を制御することで、多量の遊技媒体の払い出しを目立たせることができ、遊技媒体を払い出すモータ等の駆動手段に対する外部からの直接的な不正操作等に対抗し、かかる不正な払い出しを確実に防止することができる。
【図面の簡単な説明】
【００１２】
【図１】本発明の実施形態によるスロットマシンの外観構造を表した斜視図である。
【図２】本発明の実施形態によるスロットマシンの正面図である。
【図３】本発明の実施形態による前扉を開放した状態におけるスロットマシン１の内部構造を表した図である。
【図４】本発明の実施形態によるスロットマシンの制御システムを表したブロック図である。
【図５】本発明の実施形態によるス遊技媒体払出装置の実施形態であるメダル払出装置の外観斜視図である。
【図６】本発明の実施形態によるス遊技媒体払出装置の実施形態であるメダル払出装置の上面視図である。
【図７】本発明の実施形態によるス遊技媒体払出装置の実施形態であるメダル払出装置の分解斜視図である。
【図８】本発明の実施形態によるメダル払出装置の縦断面図である。
【図９】本発明の実施形態による撹拌ディスク３５０及びフォトセンサの説明図である。
【図１０】本発明の実施形態による図７の矢印Ａで示したベースプレート３２１に正対する位置から見たメダル払出部及びその周辺部の平面図である。
【図１１】本発明の実施形態によるメダル払出装置を制御する制御システムの構成を表したブロック図である。
【図１２】本発明の実施形態によるメダル払出装置が正常な状態における主制御基板及びサブ制御基板による演出用照明部の制御内容を説明する説明図である。
【図１３】本発明の実施形態によるメダル払出装置が異常な状態における主制御基板及びサブ制御基板による演出用照明部及び液晶表示装置の制御内容を説明する説明図である。
【図１４】本発明の実施形態によるメダル空センサ４５０が設けられた付近の構造を表した平面図である。
【図１５】本発明の実施形態によるフォトセンサの検出結果に基づいた実払出枚数と左の演出用放音部の音階を上昇について示すグラフである。
【図１６】図１乃至図１５に示した実施形態の第１の変形例の制御内容を示すグラフである。
【図１７】図１乃至図１５に示した実施形態の第２の変形例の制御内容を示すグラフである。
【発明を実施するための形態】
【００１３】
以下、本発明の実施形態について図面を参照しながら具体的に説明する。
図１は本発明に係る一実施形態のスロットマシン１の外観構造を表した斜視図である。
図１において、スロットマシン１は、前方に開口を有する略矩形状の箱体である筐体２と、当該筐体２に対して蝶番機構により回動可能に取付けられることで前記開口を開閉可能な状態で閉塞させる前扉３とを備えている。
【００１４】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６１が一体的に形成されたメダル受皿部６が設けられている。
【００１５】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル」が構成される。
【００１６】
上部パネル部４の中央には、硬質プラスチック板等で形成されたパネル部４１が設けられている。パネル部４１のほぼ中央には略長方形の透明な表示窓４２が形成されている。パネル部４１の左右には縦長の演出用照明部２０３、２０４が設けられている。
スロットマシン１は、このような表示窓４２を通して筐体２内に設けられているリールユニット１００の３個のリール１０１ａ、１０１ｂ、１０１ｃが目視されるようになっている。
【００１７】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００１８】
上部パネル部４の上部には、高輝度発光ダイオード等のランプ類を内蔵する演出用照明部２０５、２０６、２０７と、ゲームに係る効果音を発生させるスピーカを内蔵する演出用放音部４４ａ、４４ｂが配置されている。
【００１９】
スロットマシン１は、ゲームの進行に応じて上述した演出用照明部２０５、２０６、２０７等が点灯又は点滅することで、ゲームにおける視覚的な演出効果を高めるように形成されている。
【００２０】
また、演出用放音部４４ａ、４４ｂの間には、透明な硬質プラスチック板等が嵌め込まれて形成された表示窓４５に面して遊技機の演出装置として液晶表示装置４６が配置されている。なお、液晶表示装置４６は、ゲームの演出に係る映像やゲーム（遊技）に関する情報を主に表示する。
【００２１】
操作卓７の上面右側には本実施形態の要部となるメダル投入部７１が設けられている。メダル投入部７１は、メダルを投入するためのメダル投入口７２を有する。操作卓７の上面左側には、押しボタンスイッチである２個のベットボタン７３、７４が設けられている。
【００２２】
ベットボタン７３、７４はスロットマシン１の１ゲームに賭けるメダルの枚数を提示するためのボタンスイッチである。本スロットマシン１においては、ゲームを開始する際に、ベットボタン７３が押圧操作されることで、内部貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２３】
操作卓７の前面パネル７０の左側には、リール１０１ａ、１０１ｂ、１０１ｃの回転開始を指示するためのスタートレバーユニット７５が設けられている。スタートレバーユニット７５は、先端に球形の操作ノブを有する揺動可能なスタートレバー９１を備え、スタートレバー９１が傾倒操作されるとオン、スタートレバー９１から手が離されるとスプリングの付勢力によって自動的に元の位置に戻ってオフ状態となるスイッチユニットで形成されている。
【００２４】
また、操作卓７の前面パネル７０の左側のスタートレバーユニット７５より右側には、各リール１０１ａ、１０１ｂ、１０１ｃの回転停止をそれぞれ指示するためのストップボタン７６ａ、７６ｂ、７６ｃが各リールの配列に対応して並設されている。
【００２５】
さらに、操作卓７の前面パネル７０の左上隅には、ゲームに賭けられたメダルをキャンセルして払い出させることを指示するとともに、内部貯留したメダルを精算して払い出させることを指示するための精算ボタン７７が設けられている。
【００２６】
操作卓７の前面パネル７０の右上側には、後述のメダル選別装置３４（図３参照）で詰まったメダルを返却させるための詰まり解除ボタン７８が設けられている。
【００２７】
操作卓７の右隅には、前扉３を開錠するための鍵が挿入される鍵穴７９が設けられている。スロットマシン１の管理者等が鍵穴７９に所定の鍵を挿入して開錠操作すると、蝶番機構によって筐体２に取付けられている前扉３を前方へ開くことができ、また前扉３を筐体２側に閉じると、自動的にこれらを施錠するようになっている。
【００２８】
下部パネル部５には、スロットマシン１のモデルタイプを遊技者へ認識させる等のため、登場キャラクタの絵などを表示する表示パネル５１が設けられている。表示パネル５１の左右には縦長の演出用照明部２０１、２０２が設けられている。
【００２９】
下部パネル部５の下側に配置されたメダル受皿部６には、入賞時にメダルを払い出すメダル払出口６２と、払い出されたメダルを貯留するメダル受皿６１と、演出効果音を発生させるスピーカを内蔵する左右の演出用放音部６３ａ、６３ｂとが配置されている。
【００３０】
次に、図２を参照して、演出用照明部２０１、２０２、２０３、２０４、２０５、２０６、２０７の構造を説明する。
図２は、スロットマシン１の正面図である。
図２において、演出用照明部２０１は、複数の発光ダイオード２２１を実装して表示パネル５１の左脇に取り付けられる縦長の発光基板２１１と、発光基板２１１を覆う透光性の縦長のカバー２３１とから構成される。
演出用照明部２０２は、複数の発光ダイオード２２２を実装して表示パネル５１の右脇に取り付けられる縦長の発光基板２１２と、発光基板２１２を覆う透光性の縦長のカバー２３２とから構成される。
演出用照明部２０３は、複数の発光ダイオード２２３を実装してパネル部４３の左脇に取り付けられる縦長の発光基板２１３と、発光基板２１３を覆う透光性の縦長のカバー２３３とから構成される。
演出用照明部２０４は、複数の発光ダイオード２２４を実装してパネル部４４の右脇に取り付けられる縦長の発光基板２１４と、発光基板２１４を覆う透光性の縦長のカバー２３４とから構成される。
演出用照明部２０５は、複数の発光ダイオード２２５を実装して上部パネル部４の上部の左脇から上辺左側に亘って取り付けられるＬ字状の発光基板２１５と、発光基板２１５を覆う透光性のＬ字状のカバー２３５とから構成される。
演出用照明部２０６は、複数の発光ダイオード２２６を実装して上部パネル部４の上部の右脇から上辺右側に亘って取り付けられるＬ字状の発光基板２１６と、発光基板２１６を覆う透光性のＬ字状のカバー２３６とから構成される。
演出用照明部２０７は、複数の発光ダイオード２２７を実装して上部パネル部４の上部の上辺中央部に取り付けられる横長形状の発光基板２１７と、発光基板２１７を覆う横長形状のＬ字状のカバー２３７とから構成される。
【００３１】
次に、図３を参照して、筐体２の内部構造と前扉３の裏面構造とを説明する。
図３は前扉３を開放した状態におけるスロットマシン１の内部構造を表した図である。
【００３２】
図３において、筐体２の前方には開口８を有している。この開口８内の上部には、左右のブラケット部材８１、８２を介して硬質プラスチックの基板ケース８０に収納された主制御基板２０が取付けられている。主制御基板２０は、スロットマシン１の全体動作を集中制御するＣＰＵを備えている。
【００３３】
筐体２内の中央には、リール１０１ａ、１０１ｂ、１０１ｃと左右の内側図柄表示器２００Ｌ、２００Ｒを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取付けられている。なお、各リール１０１ａ、１０１ｂ、１０１ｃは、それぞれに内蔵されたリールモータによって回転駆動される。
【００３４】
また、リールユニット１００の上部には、各リールを回転駆動する前記リールモータへ１−２相の駆動パルス信号を送出するリール基板１１０が取付けられている。主制御基板２０は、リール基板１１０に回胴駆動（励磁）パルスデータを送出することで、各リールの回転、制動及び停止の制御を行っている。
【００３５】
リールユニット１００の下方には、メダル払出装置２１と、メダル払出装置２１から溢れたメダルを収容するための補助貯留部２２と、電源ユニット２３が設けられている。電源ユニット２３の内部の右側には、いわゆる配電盤に相当する電源装置基板２４が設けられている。
【００３６】
電源ユニット２３は、ハーネスを介してメダル払出装置２１及び主制御基板２０等の電気部品と電気的に接続する。また、電源ユニット２３は、前記筐体２の壁面の貫通孔９に挿通された電源コード１０を介して筐体２の外部から電力が供給され、供給された電力から所定の電圧値の電力を生成してメダル払出装置２１及び主制御基板２０等の電気部品に供給する。メダル払出装置２１の前面には、メダルを排出するメダル放出口２５が設けられている。メダル払出装置２１の上部にはメダルを貯留するメダル収納部２６が設けられている。
【００３７】
更に、筐体２の上部右側の内壁に、遊技場に設置されている「ホールコンピュータ」と呼ばれる管理用コンピュータと接続可能な外部集中端子板２７が取付けられている。
【００３８】
一方、前扉３の裏面側上部には、発光駆動部３１が配置されている。発光駆動部３１は、上述の演出用照明部２０１、２０２、２０３、２０４、２０５、２０６、２０７（図２参照）のの発光ダイオード２２１、２２２、２２３、２２４、２２５、２２６、２２７を発光駆動する駆動回路が実装されている。
【００３９】
また、前扉３の裏面側上部には、上述の演出用放音部４４ａ、４４ｂ（図１参照）に対向してスピーカ３２ａ、３２ｂが取付けられている。また、スピーカ３２ａ、３２ｂの間には、液晶表示装置４６が取付けられている。更に、液晶表示装置４６の裏面側には、電気回路基板で形成され硬質プラスチックの基板ケース９０に収納されたサブ制御基板４０が取付けられている。
【００４０】
主制御基板２０及びサブ制御基板４０は、スロットマシン１の作動を制御する制御基板である。
【００４１】
サブ制御基板４０の下方には、リール１０１ａ、１０１ｂ、１０１ｃを目視させるための透明な表示窓４２が形成されたパネル板４７が配置され、表示窓４２の下方には、前面側のスタートレバーユニット７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４２】
メダル選別装置３４は、メダル投入口７２に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４３】
メダル選別装置３４の装置本体の下方には、メダル選別装置３４によって振り分けられた正規のメダルを筐体２内に設けられているメダル払出装置２１へ案内するガイド部材３５と、メダル選別装置３４により排除されたメダル（又は異物）をメダル払出口６２へ案内するキャンセルシュート部材３６が設けられている。また、前扉３の裏面側下部には、メダル払出装置２１のメダル放出口２５から排出されたメダルをメダル払出口６２へ案内するガイド部材３７が設けられている。更に、メダル払出口６２に隣接して、上述した演出用放音部６３ａ、６３ｂ（図１参照）に対向するスピーカ３８ａ、３８ｂが取付けられている。
【００４４】
なお、スロットマシン１全体の動作は、筐体２側に設けられている主制御基板２０によって統括制御されており、サブ制御基板４０は、液晶表示装置４６による演出映像の表示制御、上述の演出用照明部２０５、２０６、２０７の発光駆動部３１を用いた演出発光制御、及び演出用放音部４４ａ、４４ｂ、６３ａ、６３ｂのスピーカ３２ａ、３２ｂ、３８ａ、３８ｂを使った演出効果音制御など、ゲームの演出に係る制御を主に行っている。
【００４５】
次に、図４のブロック図を参照して、スロットマシン１に設けられている制御システムについて説明する。
【００４６】
図４はスロットマシン１の制御システムを表したブロック図である。
【００４７】
図４において、主制御基板２０は、メインＣＰＵ１２０と、記憶部１２１と、乱数発生器１２２と、Ｉ／Ｆ回路１２３と、ソレノイド駆動回路１２４とを主要構成として備えている。
【００４８】
記憶部１２１は、ＲＯＭ、ＲＡＭ等の半導体メモリによって構成され、主要構成としてプログラムＲＯＭ１３１と制御ＲＡＭ１３２を有している。記憶部１２１のプログラムＲＯＭ１３１には、スロットマシンゲーム用のシステムプログラム１３３が予め記憶されている。主制御基板２０は、記憶部１２１のプログラムＲＯＭ１３１に記憶されたシステムプログラム１３３に従ってメインＣＰＵ１２０が演算処理を実行することで、スロットマシン１全体の動作を統括制御している。
【００４９】
また、記憶部１２１の制御ＲＡＭ１３２にはメダルクレジット手段１３６が設けられている。メダルクレジット手段１３６はスロットマシン１が内部貯留するメダルの数であるクレジットをメモリに記憶する。
【００５０】
また、主制御基板２０のメインＣＰＵ１２０には、中央表示基板３３及びＩ／Ｆ回路１２３を介してベットボタン７３、７４、スタートレバーユニット７５のフォトセンサ、ストップボタン７６ａ、７６ｂ、７６ｃ、精算ボタン７７等の操作スイッチ類が介して接続されるとともに、メダル選別装置３４の中央表示基板３３及びＩ／Ｆ回路１２３を介してメダル選別装置３４のメダルセンサ１４１が接続されている。また、主制御基板２０のメインＣＰＵ１２０には、Ｉ／Ｆ回路１２３を介してソレノイド駆動回路１２４が接続されている。ソレノイド駆動回路１２４は、中央表示基板３３を介してメダル選別装置３４のフラッパータイプソレノイド１４２が接続されている。
【００５１】
また、主制御基板２０には、電源装置基板２５が接続されている。電源装置基板２５は、主制御基板２０のメインＣＰＵ１２０からＩ／Ｆ回路１２３を介して送信されるコマンドデータに基づいてメダル払出装置であるメダル払出装置２１を駆動する。スタートレバーユニット７５は、前記スタートレバー９１の傾倒操作を検出するフォトセンサを備えている。フォトセンサの検出出力である傾動検出信号は、中央表示基板３３及び主制御基板２０に設けられたＩ／Ｆ回路１２３を介してメインＣＰＵ１２０に受信される。
【００５２】
フラッパータイプソレノイド１４２は、メダル選別装置３４に流下するコインを強制排除する場合に用いられるメダルブロッカを駆動するためのものである。メインＣＰＵ１２０は、主制御基板２０に設けられたソレノイド駆動回路１２４を制御することでフラッパータイプソレノイド１４２のオン、オフを行う。
【００５３】
主制御基板２０のメインＣＰＵ１２０は、前記操作スイッチ類やメダル選別装置３４のメダルセンサ１４１からの出力信号によりゲームに係る操作を検出する。
【００５４】
また、主制御基板２０のメインＣＰＵ１２０は、動作モードがメダルベット待機状態となっている場合において、メダルセンサ１４１がメダルを検出した場合、検出したメダルをゲームの賭数に加算する。
【００５５】
また、主制御基板２０のメインＣＰＵ１２０は、動作モードがメダルクレジット入力待機状態となっている場合において、メダルセンサ１４１がメダルを検出した場合、検出したメダルをメダルクレジット手段１３６のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段１３６の前記クレジット数が最大値（５０）になるまでの状態のことを示している。
【００５６】
一方、左中右のリール１０１ａ、１０１ｂ、１０１ｃには、リールセンサ１０３ａ、１０３ｂ、１０３ｃが設けられている。
【００５７】
主制御基板２０のメインＣＰＵ１２０は、リール基板１１０及びＩ／Ｆ回路１２３を介してリールセンサ１０３ａ、１０３ｂ、１０３ｃの検出信号を受信し、各リールの基準となる回転位置を把握しながら、Ｉ／Ｆ回路１２３を介してリール基板１１０に所定の回胴駆動パルスデータを送信する。リール基板１１０は、主制御基板２０からの回胴駆動パルスデータに従って左中右のリールモータ１０２ａ、１０２ｂ、１０２ｃを回転駆動することで、各リール１０１ａ、１０１ｂ、１０１ｃの回転及び停止の動作制御を行っている。
【００５８】
また、主制御基板２０のメインＣＰＵ１２０は、入賞が確定した場合等において、Ｉ／Ｆ回路１２３及び電源装置基板２５を介してメダル払出装置２１を制御することで、所定数のメダルをメダル受皿６０に払い出す。
【００５９】
さらに、主制御基板２０のメインＣＰＵ１２０は、精算ボタン７７が操作された場合、ゲームに賭けられたメダルをキャンセルしてメダル払出装置２１に払い出させるとともに、メダルクレジット手段１３６（図４参照）が内部貯留したメダルを精算してメダル払出装置２１に精算前のクレジット数のメダルを払い出させる。
【００６０】
一方、主制御基板２０の記憶部１２１のプログラムＲＯＭ１３１には、入賞抽選テーブル１３４が記憶されている。また、記憶部１２１の制御ＲＡＭ１３２には、内部当選した入賞役に対応するフラグを記憶する内部抽選フラグ記憶領域１３７、前記入賞役を抽選する抽選確率の設定を記憶する設定記憶領域１３８が設定されている。
【００６１】
サブ制御基板４０は、主制御基板２０からの制御信号に基づいて演出用放音部６２ａ、６２ｂ（図１参照）のスピーカ３８ａ、３８ｂ等の演出装置５０を制御駆動することで、遊技者の視覚や聴覚に訴える演出をゲームの進行に応じて行っている。
【００６２】
尚、第１の実施形態では、液晶表示装置４６による演出映像、上述の演出用照明部２０５、２０６、２０７の発光駆動部３１を用いた演出発光、及び演出用放音部４４ａ、４４ｂ、６３ａ、６３ｂのスピーカ３２ａ、３２ｂ、３８ａ、３８ｂを使った演出効果音の選択はサブ制御基板４０の抽選によって行っている。
【００６３】
メインＣＰＵ１２０は、Ｉ／Ｆ回路１２３を介したスタートレバーユニット７５からの操作検出信号がスタートレバー９１の傾倒操作の検出を示すことを契機に乱数発生器１２２から乱数値を取得し、設定記憶領域１３８に記憶された設定に対応する入賞抽選テーブル１３４を参照することで、得られた乱数値に割り当てられた入賞役またはハズレを抽選する。そして、メインＣＰＵ１２０は、乱数値に対応する入賞役が存在すると、それを当該ゲームの入賞役として抽選結果を当選にし、記憶部１２１の内部抽選フラグ記憶領域１３７における当選した入賞役のフラグをオンにする。メインＣＰＵ１２０は、乱数値に対応する入賞役が存在しない場合、抽選結果をハズレにし、記憶部１２１の内部抽選フラグ記憶領域１３７におけるハズレのフラグをオンにする。
【００６４】
ここでは、かかる入賞役の抽選方法を「内部抽選」と呼んでいる。
【００６５】
次に、スロットマシン１におけるゲーム動作の概要を説明する。
【００６６】
スロットマシン１は、先のゲームにおいて入賞しメダルの配当が完了した時、又は先のゲームにおいてハズレが確定すると待機状態となる。次に、遊技者がメダル投入ガイド７１のメダル投入口７２にメダルを投入し、もしくは、ベットボタン７３を三回押圧操作するかベットボタン７４を一回押圧操作することで、スロットマシン１は、内部に貯留したメダル（クレジット）から当該ゲームに所定枚数（例えば、３枚）のメダルが賭けられゲームを準備する。
【００６７】
ゲーム準備の状態でスタートレバーユニット７５のスタートレバー９１が傾倒操作されゲームが開始されると、主制御基板２０は、スタートレバー９１が傾倒操作を起因として３個のリール１０１ａ、１０１ｂ、１０１ｃを一斉に回転させ始めるとともに、上述した内部抽選を実行する。内部抽選の結果は、内部抽選フラグ記憶領域に記憶される。また、メインＣＰＵ１２０は、内部抽選に抽選結果に応じて演出乱数テーブル１３５の種類の選択を行う。
【００６８】
メインＣＰＵ１２０は、スタートレバーユニット７５の傾倒操作の検出が終了したタイミングで乱数値を取得し、前期種類が選択された演出乱数テーブル１３５を参照することで、図柄表示演出の可否及び演出内容を選択する。
【００６９】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域に記憶された内部抽選の入賞役に係る図柄の組合せとが一致しているかどうか判定する。
【００７０】
これら図柄の組合せが一致し役への入賞が確定すると、スロットマシン１は、主制御基板２０により制御ＲＡＭ１３２の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６１へ払い出す。
次に、スロットマシン１等の内部に装備される上述したメダル払出装置２１の構成を詳細に説明する。ここで、図５はメダル払出装置２１の外観斜視図、図７はメダル払出装置２１の上面図、図７はその構成を表した分解斜視図、図８は縦断面図である。
図５において、メダル払出装置２１は、概略椀形状のホッパー３１０と、ホッパー３１０を上面に取り付け、メダルをメダル放出口２５から外部へ放出する払出機構が板金ケース内に形成されたメダル払出部３２０とから主に構成されている。なお、メダル払出装置２１は、メダルを貯留するホッパー３１０を有していることから、「ホッパーユニット」とも称されている。
【００７１】
このホッパー３１０は、外径が矩形状に形成された基体部３１４と、この基体部３１４と一体的であり上方に開口を有する椀状部３１２とを備え、これらが硬質プラスチック等で成型加工されている。椀状部３１２の底面は、投下されたメダルを受けて一側の底孔３１５（図６参照）へ誘導する傾斜面３１１が形成されている。また、椀状部３１２の所定高さ位置には、オーバーフロー孔３１３が開口して形成されている。
【００７２】
図７において、メダル払出部３２０の上面は、板金ケースと一体のベースプレート３２１が設けられ、略中央が円状に打ち抜かれた金属板であるサブプレート３３０が、ベースプレート３２１の上面に密接して固定されている。
【００７３】
メダル払出部３２０の板金ケース内には、電動の回転モータである払出モータ３２２がベースプレート３２１の裏面側に取り付けられている。また、払出モータ３２２の回転駆動力が伝達される従動軸３２３がベースプレート３２１を貫通するようにして軸支されている。そして、撹拌ディスク３５０と搬送ディスク３４０のそれぞれの軸孔３５２、３４３が従動軸３２３に嵌合し固着されており、これらが従動軸３２３とともに一体的に回転するように取り付けられている。なお、撹拌ディスク３５０と搬送ディスク３４０とによって、回転円板体としての払出ディスクが構成され、この払出ディスクは、ベースプレート３２１とサブプレート３３０の開口縁３３２とにより画成されるメダルの搬送空間内を回転するように設けられている。
【００７４】
撹拌ディスク３５０は、硬質プラスチックまたはアルミダイカスト等の成型品で円板状に形成され、そのディスク面の同一半径上に、メダルを受容し得る円形の受容口３５１が複数ヶ所（実施形態では８ヶ所）に形成されている。なお、ホッパー３１０の底部に貯留されているメダルを効率良く捕捉するために、各受容口３５１は、周囲に傾斜面を有してディスク面から若干窪んだ位置に開口形成されている。これにより、撹拌ディスク３５０が回転したときに、ホッパー３１０内に無秩序に貯留されていたメダルが一枚ずつ略水平に整列して各受容口３５１に受容されるようにしている。
【００７５】
搬送ディスク３４０は、ステンレス等の鉄系またはアルミニウム等の板状の合金材からなり、その外周に、メダルの直径に相当する幅の複数の捕捉溝３４１が等間隔（例えば８ヶ所）に形成されている。そして、相互に隣接する捕捉溝３４１の間に半径方向に延びて左方向に緩やかにカーブする押進部３４２が形成されている。
【００７６】
また、図８の断面図に示されるように、払出モータ３２２の駆動軸３２２ａと、搬送ディスク３４０及び撹拌ディスク３５０が嵌合する従動軸３２３との間には、カップリング３２９が設けられている。
【００７７】
なお、メダル払出装置２１は、メダル払出部３２０の傾斜する上面であるベースプレート３２１にホッパー３１０の基体部３１４を取り付けて組み立てられている。ホッパー３１０の開口部に投下されたメダルＭは、傾斜面３１１を自重で滑り落ち、底孔３１５を介して基体部３１４の内部に貯留される。そして、撹拌ディスク３５０の受容口３５１にメダルＭが受容され、その受容口３５１に位置整合する搬送ディスク３４０の捕捉溝３４１に捕捉される。更に、搬送ディスク３４０が回転することによりメダルＭが後述する放出機構部へ搬送されると、放出機構部は当該メダルＭをメダル放出口２５から外部へ勢いよく放出する。
【００７８】
以下、本実施例の要部となる回転円板体の撹拌ディスク３５０の回転を検出する回転検出手段について詳細に説明する。
【００７９】
図９（ａ）は撹拌ディスク３５０を上方から見た斜視図である。図９（ｂ）は撹拌ディスク３５０及びフォトセンサ４０１を下方から見た斜視図、図９（ｂ）は、フォトセンサ４０１の検出動作を示す説明図である。
【００８０】
図９（ａ）において、撹拌ディスク３５０には、メダルを受容し得る円形の受容口３５１が８個等間隔で形成されている。
【００８１】
図９（ｂ）において、撹拌ディスク３５０の下面の８個の受容口３５１より外周側には下方に突出する突起部３５３が形成されている。突起部３５３の外周面には、反射板４１１が取り付け固定されている。
【００８２】
図８に示したホッパー３１０の基体部３１４には、反射板４１１の検出を行うフォトセンサ４０１が設けられている。
【００８３】
図９（ｃ）において、フォトセンサ４０１を赤外線Lを発光する発光部４０２と、反射板４１１により反射された赤外線Lの受光し、この受光によりパルス信号を出力する受光部４０３とから構成される。
【００８４】
受光部４０３は、撹拌ディスク３５０が１／８回転する毎に１つのパルス信号を回転検出信号Ａとして出力する。撹拌ディスク３５０が１／８回転は後述のメダルの実払出枚数に相当している。
【００８５】
メダル払出装置２１の放出機構部を含む、メダルの払出機構について更に詳細に説明する。図１０（ａ）と図１０（ｂ）は、図７の矢印Ａで示したベースプレート３２１に正対する位置から見たメダル払出部３２０及びその周辺部の平面図である。なお、図１０は、撹拌ディスク３５０が取り外された状態を図示している。
【００８６】
図１０に示されるように、メダル払出部３２０の放出機構部には、サブプレート３３０の一部が切り欠かれてメダル放出口２５を開口端とする放出路が形成されている。また、この放出路を挟む両側に回転自在なピンローラ３６１、３６２が設けられている。
【００８７】
下側のピンローラ３６１は、ベースプレート３２１に固定されて設けられている。また、上側のピンローラ３６２は、ベースプレート３２１の裏面側において支軸３６４に軸支された回動アーム３６３に設けられ、長孔３９１を通して放出路内に突出し、その位置が往復変位可能となっている。また、ピンローラ３６２は、回動アーム３６３に接続したバネ３６５により、対峙する固定のピンローラ３６１に向かって閉じようとする側に常時付勢されている。
【００８８】
また、ベースプレート３２１の裏面側には、回動アーム３６３の回動位置を検出する２個のフォトインタラプタ３７１ａ、３７１ｂが設けられている。なお、これらフォトインタラプタ３７１ａ、３７１ｂにより、メダルの払い出しを検出するための払出検出部としての払出センサ３７１が構成されている。
【００８９】
また、ベースプレート３２１のメダル放出口２５に対向する位置には、メダルの通過を検出いるフォトセンサ４２１が設けられている。
【００９０】
この放出機構部を含む払出機構によれば、メダル払出装置２１の制御手段（例えば後述する払出制御基板３８０）が払出モータ３２２を駆動して搬送ディスク３４０を右方向に回転させると、捕捉溝３４１に捕捉されたメダルＭがその後方の押進部３４２に押圧されながらサブプレート３３０の開口縁３３２に沿って周回するように搬送される。
【００９１】
図１０（ａ）に示されるように、メダルＭが放出機構部近くまで搬送されると、各ピンローラ３６２、３６１にメダルＭの縁が当接し、押進部３４２の押圧力がメダルＭを介してピンローラ３６２を開く側に作用する。このとき、バネ３６５には、伸張による弾性エネルギーが蓄積される。
【００９２】
更に、搬送ディスク３４０が回転し、図１０（ｂ）に示される位置でメダルＭの中心がピンローラ３６１、３６２の各軸を結ぶ線を超えた時、バネ３６５の弾性収縮力がピンローラ３６２を閉じようとする側に作用する。これにより、バネ３６５に蓄積された弾性エネルギーが一機に開放し、ピンローラ３６２に押圧されてメダルＭがメダル放出口２５より勢いよく放出される。
【００９３】
このとき、ピンローラ３６２と伴に往復動する回動アーム３６３の各位置を２個のフォトインタラプタ３７１ａ、３７１ｂ（払出センサ３７１）がそれぞれ検出し、メダル検出信号ＳＭを出力する。フォトインタラプタ３７１ａ、３７１ｂのかかる一連の作動に基づいて制御手段が論理判定することにより、１枚ごとのメダルＭの払い出しを検出している。
【００９４】
次に、図１１は、このメダル払出装置２１を制御する払出制御基板３８０を備えた制御システムの構成を表したブロック図である。なお、ここでは、メダル払出装置２１の制御手段としての払出制御基板３８０を装置本体に内蔵した実施形態を説明しているが、当該払出制御基板３８０の諸機能を実現する手段をスロットマシン１の主制御基板２０やその他の電気回路基板に設けたものでもよい。
【００９５】
メダル払出装置２１を駆動制御する払出制御基板３８０は、スロットマシン１の主制御基板２０との間でシリアル若しくはパラレル通信可能に接続されるとともに、主制御基板２０の指令下で制御動作する。
【００９６】
まず、主制御基板２０は、入賞が確定した時や遊技者による貸し出し操作を検知したとき、払い出すべきメダルの枚数のデータ（払出枚数データ）を含む払出要求信号ＲｑＤを生成し払出制御基板３８０へ送信する。
【００９７】
払出制御基板３８０に備えられる払出制御手段３８１は、払出要求信号ＲｑＤを受けたとき、ドライブ回路３８５を介してモータ駆動信号ＤＭを払出モータ３２２へ供給する。これにより、払出モータ３２２の回転駆動力が払出ディスクに伝達され回転して、メダルが１枚ずつ放出される。
【００９８】
このとき、払出センサ３７１の各フォトインタラプタ３７１ａ、３７１ｂは、メダルが放出される毎にメダル検出信号ＳＭ１を払出制御基板３８０へ送出する。
【００９９】
フォトセンサ４０１は、撹拌ディスク３５０が１／８回転する毎に回転検出信号Ａを払出制御基板３８０へ送出する。
フォトセンサ４２１は、メダル放出口２５にメダルが通過する毎にメダル検出信号ＳＭ２を払出制御基板３８０へ送出する。
【０１００】
計数手段３８２は、メダル検出信号ＳＭ１を受信し論理判定することで、メダルの払い出しをカウントする。そして、計数手段３８２は、カウントした実払出枚数のデータが、払出要求信号ＲｑＤに含まれる払出枚数データに達したと判定すると、払出完了信号ＣｐＤ１を払出制御手段３８１へ出力する。
【０１０１】
計数手段３８３は、回転検出信号Ａを受信し論理判定することで、１／８回転を単位とする撹拌ディスク３５０の回転数をカウントする。そして計数手段３８３は、カウントした回転数のデータＢを払出制御手段３８１を介して主制御基板２０へ出力する。
【０１０２】
計数手段３８４は、メダル検出信号ＳＭ２を受信し論理判定することで、メダルの払い出しをカウントする。そして、計数手段３８４は、カウントした実払出枚数のデータが、払出要求信号ＲｑＤに含まれる払出枚数データに達したと判定すると、払出完了信号ＣｐＤ２を払出制御手段３８１へ出力する。計数手段３８４は、カウントした実払出枚数のデータＣを払出制御手段３８１へ出力を介して主制御基板２０へ出力する。
【０１０３】
払出制御手段３８１は、この払出完了信号ＣｐＤ１、ＣｐＤ２の少なくとも一方を受けたとき、モータ駆動信号ＤＭ及びソレノイド駆動信号ＤＳの出力を停止し、メダルの払い出し動作を完了させる。そして、払出制御手段３８１は、メダル払出装置２１によるメダルの払い出し動作が正常に完了したと判定したとき、準備／作動信号ＲｄＹを準備完状態にして主制御基板２０へ送信するとともに、計数手段３８３、３８４の計数を０にリセットする。
【０１０４】
主制御基板２０は、フォトセンサ４０１の検出結果に基づいた回転数の撹拌ディスク３５０の回転数のデータＢと、フォトセンサ４２１の検出結果に基づいた実払出枚数のデータＣに基づいてサブ制御基板４０を制御して演出用照明部２０１、２０２、２０３、２０４、２０５、２０６、２０７（図２参照）の発光ダイオード２２１、２２２、２２３、２２４、２２５、２２６、２２７の発光制御、演出用放音部４４ａ、４４ｂ（図１参照）に対向してスピーカ３２ａ、３２ｂの音声の出力制御を行う。
【０１０５】
より詳しく説明すると、主制御基板２０は、フォトセンサ４２１の検出結果に基づいた実払出枚数のデータＣが示す数に比例して左脇の演出用照明部２０１、２０３、２０５の発光ダイオード２２１、２２３、２２５を下から順に点灯させ、撹拌ディスク３５０の回転数のデータＢが示す数に比例して右脇の演出用照明部２０２、２０４、２０６の発光ダイオード２２２、２２４、２２６を下から順に点灯させ、データＣが示す数とデータＢが示す数の差が２０以上になった場合、演出用照明部２０７の発光ダイオード２２７を点灯させる。
【０１０６】
また、主制御基板２０は、フォトセンサ４２１の検出結果に基づいた実払出枚数のデータＣが示す数に比例して左の演出用放音部４４ａのスピーカ３２ａの音階を上昇させ、撹拌ディスク３５０の回転数のデータＢが示す数に比例して右の演出用放音部４４ｂのスピーカ３２ｂの音階を上昇させる。
【０１０７】
図１２は、メダル払出装置２１が正常な状態における主制御基板２０及びサブ制御基板４０による演出用照明部２０１、２０２、２０３、２０４、２０５、２０６、２０７の制御内容を説明する説明図である。図１２（ａ）は払い出し枚数が１０枚の場合、図１２（ｂ）は払い出し枚数が２０枚の場合を示している。
【０１０８】
メダル払出装置２１が正常な状態では、撹拌ディスク３５０の回転数のデータＢと実払出枚数のデータＣがほぼ一致するので、図１２（ａ）、図１２（ｂ）に示すように、左脇の演出用照明部２０１、２０３、２０５と右脇の演出用照明部２０２、２０４、２０６が同じ高さで点灯して発光することになる。演出用照明部２０７は消灯したままとなる。
【０１０９】
図１３は、メダル払出装置２１が異常な状態における主制御基板２０及びサブ制御基板４０による演出用照明部２０１、２０２、２０３、２０４、２０５、２０６、２０７及び液晶表示装置４６の制御内容を説明する説明図である。図１３（ａ）は撹拌ディスク３５０の回転数を検出するフォトセンサ４０１に異常が発生した場合、図１３（ｂ）は実払出枚数を検出するフォトセンサ４２１に異常が発生した場合を示している。
【０１１０】
図１３（ａ）において、撹拌ディスク３５０の回転数を検出するフォトセンサ４０１に異常が発生した場合、左脇の演出用照明部２０１、２０３、２０５の点灯部の高さが右脇の演出用照明部２０２、２０４、２０６が点灯部の高さがよりも高くなる。
【０１１１】
図１３（ｂ）において、実払出枚数を検出するフォトセンサ４２１に異常が発生した場合、左脇の演出用照明部２０１、２０３、２０５の点灯部の高さが右脇の演出用照明部２０２、２０４、２０６が点灯部の高さがよりも低くなる。
【０１１２】
ホッパータンク（ホッパー３１０の基体部３１４）が空になった場合にも、図１３（ｂ）に示す状態が発生する。
尚、ホッパータンクが空になった場合を特定するため検出装置として図１４に示すメダル空センサを設け、空の検出を行い、この結果に基づいて主制御基板２０及びサブ制御基板４０が演出用照明部２０１、２０２、２０３、２０４、２０５、２０６、２０７及び液晶表示装置４６を図１３（ｂ）に示す状態に制御するようにしてもよい。
図１４（ａ）及び図１４（ｂ）は、メダル空センサ４５０及びこのメダル空センサ４５０が設けられた付近の構造を表した平面図であり、図１０（ａ）に示したメダル払出部３２０の図中右下の部分に対応している。
図１４（ａ）及び図１４（ｂ）において、メダル空センサ４５０は、メダル払出部３２０の搬送ディスク３４０に捕捉されるメダルの有無を検出する手段である。メダル空センサ４５０は、発光素子４８１と受光素子４８２とを備え、発光素子４８１が発光した光ＳＬを受光素子４８２が受光したとき作動信号を生成するように構成されている。
【０１１３】
発光素子４８１は、例えば発光ダイオードを有して形成され、搬送ディスク３４０が図１４（ａ）に示される所定の回転位置にある状態で、１箇所の捕捉溝３４１の深部（反射部３４４）に向けて光ＳＬを照射すべく、開口幅が規制されたスリット４５１ａを介してサブプレート３３０の周辺部に設置されている。
【０１１４】
受光素子４８２は、光を受けるとオンするフォトダイオード（フォトトランジスタ）からなり、図１４（ａ）に示される所定の回転位置にある搬送ディスク３４０の捕捉溝３４１の深部（反射部３４４）から反射された光ＳＬのみを受光すべく、開口幅が規制されたスリット４５２ａを介して設置されている。
【０１１５】
各捕捉溝３４１の深部には、その前後の縁形状に比較して平坦な反射部３４４が形成されている。また、各スリット４５１ａ、４５２ａは、サブプレート３３０の開口縁３３２の一部が狭く切り欠かれて形成されている。
【０１１６】
すなわち、メダル空センサ４５０は、搬送ディスク３４０が図１４に示される所定の回転位置にあり、検出対象の捕捉溝３４１にメダルが捕捉されていない場合には、その深部の反射部３４４で反射した光ＳＬが受光素子４８２に受光されてオン作動する。これにより、当該捕捉溝３４１の空き状態を検出することができる。受光素子４８２の検出結果は、主制御基板２０（図３参照）に送信される。
【０１１７】
また、図１４（ｂ）に示されるように、検出対象とする捕捉溝３４１にメダル（Ｍ１ないしＭ２）が捕捉されている場合には、狭く開口するスリット４５２ａを介しては反射した光ＳＬが導光されないため、その奧側にある受光素子４８２が作動することはない。
【０１１８】
このように、メダル空センサ４５０は、その作動により空き状態の捕捉溝３４１を検出し、これにより、搬送ディスク３４０に捕捉されるメダルの有無を検出することが可能となっている。また、メダル空センサ４５０は、捕捉溝３４１の空き状態をその深部に形成した反射部３４４で反射した光ＳＬのみを受光して検出する方式にしたので、誤作動することなく、またその検出回路を簡易化することができる。
次に、メダル払出装置２１のメダル詰まりについて説明する。
メダル払出装置２１がメダル詰まりを起こした場合、左脇の演出用照明部２０１、２０３、２０５の点灯部の高さと右脇の演出用照明部２０２、２０４、２０６が点灯部の高さが停止した状態を示すことになる。
【０１１９】
また、データＣが示す数とデータＢが示す数の差が２０以上になった場合、図１３（ｂ）に示すように、演出用照明部２０７の発光ダイオード２２７を点灯する。また、主制御基板２０は、液晶表示装置４６の画面に「エラー  係員を呼んでください」の文字を表示する。
【０１２０】
図１５は、フォトセンサ４２１の検出結果に基づいた実払出枚数と左の演出用放音部４４ａの音階を上昇について示すグラフであり、横軸に払出枚数を取り、縦軸にスピーカ３２ａが出力する音階を取っている。
【０１２１】
図１５に示すように、左の演出用放音部４４ａのスピーカ３２ａの音階は、フォトセンサ４２１の検出結果に基づいた実払出枚数のデータＣが示す数に比例して上昇する。
【０１２２】
右の演出用放音部４４ｂのスピーカ３２ｂの音階は、撹拌ディスク３５０の回転数のデータＢが示す数に比例して上昇する。
【０１２３】
メダル払出装置２１が正常な状態では、左の演出用放音部４４ａのスピーカ３２ａの音階と右の演出用放音部４４ｂのスピーカ３２ｂの音階が同じ速さで上昇する。
【０１２４】
撹拌ディスク３５０の回転数を検出するフォトセンサ４０１に異常が発生した場合、左の演出用放音部４４ａのスピーカ３２ａの音階が右の演出用放音部４４ｂのスピーカ３２ｂの音階より先に上昇する。
【０１２５】
実払出枚数を検出するフォトセンサ４２１に異常が発生した場合、右の演出用放音部４４ｂのスピーカ３２ｂが左の演出用放音部４４ａのスピーカ３２ａの音階の音階より先に上昇する。
【０１２６】
ホッパータンク（ホッパー３１０の基体部３１４）が空になった場合にも、右の演出用放音部４４ｂのスピーカ３２ｂが左の演出用放音部４４ａのスピーカ３２ａの音階の音階より先に上昇する。
【０１２７】
メダル払出装置２１がメダル詰まりを起こした場合、右の演出用放音部４４ｂのスピーカ３２ｂと左の演出用放音部４４ａのスピーカ３２ａの音階が共に変化しない状態になる。
【０１２８】
以上に示した構成及び動作を纏めて説明すると、左脇の演出用照明部２０１、２０３、２０５は、前記前扉３の一方の脇に設けられ、縦長形状に形成された第１の縦長発光部になっている。
【０１２９】
右脇の演出用照明部２０２、２０４、２０６は、前記前扉１の他方の脇に設けられ、縦長形状に形成された第２の縦長発光部になっている。
【０１３０】
主制御基板２０及びサブ制御基板４０は、遊技媒体払出手段であるメダル払出装置２１による遊技媒体の払い出し量に応じて前記第１または第２の縦長発光部による発光量を制御する発光制御手段になっている。
【０１３１】
撹拌ディスク３５０の回転数を検出するフォトセンサ４０１は、回転円板体の回転を検出する回転検出手段となっている。
【０１３２】
メダル放出口２５で実払出枚数を検出するフォトセンサ４２１は、前記放出手段としてのメダル払出部３２０の放出機構部が放出した遊技媒体の数を検出する放出数検出手段になっている。  
【０１３３】
以上説明したように、メダル払い出し枚数に応じて左脇の演出用照明部２０１、２０３、２０５の点灯部の高さ高くでき、多量の遊技媒体の払い出しを目立たせることができるとともに、メダル払出装置２１の実払出枚数を検出するフォトセンサ４２１と撹拌ディスク３５０の回転数を検出するフォトセンサ４０１の異常は、左脇の演出用照明部２０１、２０３、２０５の点灯部の高さと右脇の演出用照明部２０２、２０４、２０６が点灯部の高さの差により検出できるとともに、演出用放音部４４ａ、４４ｂ（図１参照）に対向してスピーカ３２ａ、３２ｂの音声の音階の差によって検出でき、多量の遊技媒体の払い出しを目立たせることができ、遊技媒体を払い出すモータ等の駆動手段や払い出しを検出するセンサに対する外部からの直接的な不正操作等に対抗し、かかる不正な払い出しを確実に防止することができる。
【０１３４】
図１乃至図１５に示した実施形態の第１の変形例について説明する。
【０１３５】
図１６は、図１乃至図１５に示した実施形態の第１の変形例の制御内容を示し、フォトセンサ４２１の検出結果に基づいた実払出枚数と左の演出用放音部４４ａの音階を上昇について示すグラフであり、横軸に払出枚数を取り、縦軸にスピーカ３２ａが出力する音階を取っている。
【０１３６】
図１６に示すように、左の演出用放音部４４ａのスピーカ３２ａの音階は、フォトセンサ４２１の検出結果に基づいた実払出枚数のデータＣが示す数の増加に対して所定枚数（例えばメダル５枚）毎に段階的に上昇する。
【０１３７】
右の演出用放音部４４ｂのスピーカ３２ｂの音階は、撹拌ディスク３５０の回転数のデータＢが示す数の増加に対して所定回転数（例えば５／８回転）毎に段階的に上昇する。
【０１３８】
第１の変形例によれば、図１乃至図１５に示した実施形態と同様の効果が得られるとともに、音階の上昇をホールの従業員が感知しやすくなり、より不正行為の防止を行える。
【０１３９】
図１乃至図１５に示した実施形態の第２の変形例について説明する。
図１７は、図１乃至図１５に示した実施形態の第２の変形例の制御内容を示し、フォトセンサ４２１の検出結果に基づいた実払出枚数と左の演出用放音部４４ａの音階を上昇について示すグラフであり、横軸に払出枚数を取り、縦軸にスピーカ３２ａが出力する音量を取っている。
【０１４０】
図１７に示すように、左の演出用放音部４４ａのスピーカ３２ａの音量は、フォトセンサ４２１の検出結果に基づいた実払出枚数のデータＣが示す数が所定数（例えばメダル毎１５枚）を超えた場合に一瞬にして最大レベルまで上昇する。
【０１４１】
右の演出用放音部４４ｂのスピーカ３２ｂの音階は、撹拌ディスク３５０の回転数のデータＢが示す数が所定回転数（例えば１５／８回転）を超えた場合に一瞬にして最大レベルまで上昇する。
【０１４２】
第２の変形例によれば、図１乃至図１５に示した実施形態と同様の効果が得られるとともに、音階の上昇をホールの従業員が感知しやすくなり、より不正行為の防止を行える。
【符号の説明】
【０１４３】
１…スロットマシン、２…外装筐体、３…前扉、４…上部パネル部、
５…下部パネル部、６…メダル受皿部、７…操作卓、
８…開口、９…貫通孔、１０…電源コード、２０…主制御基板、
２１…メダル払出装置、２３…補助貯留部、
２４…電源ユニット、２５…メダル放出口、
２６…外部集中端子基板、３０…発光駆動部、
３２ａ、３２ｂ…スピーカ、３３…中央表示基板、
３４…メダル選別装置、３５…ガイド部材、
３６…キャンセルシュート部材、３７…ガイド部材、
３８ａ、３８ｂ…スピーカ、４０…サブ制御基板、４１…パネル面、
４２…表示窓、４６…演出用照明部、４７…パネル板、
４８ａ、４８ｂ…演出用放音部、４９…表示窓、５０…演出装置、
５１…表示パネル、６０…メダル受皿、６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、８０、９０…基板ケース、
９１…フォトセンサ、１００…メインリールユニット、
１０１ａ、１０１ｂ、１０１ｃ…リール、１２０…ＣＰＵ、
１２１…記憶部、１２２…乱数発生装置、１２３…Ｉ／Ｆ回路、
１２４…ソレノイド駆動回路、１３１…プログラムＲＯＭ、
１３２…制御ＲＡＭ、１３３…システムプログラム、
１３４…入賞抽選テーブル、１３５…メダルクレジット手段、
１３６…内部抽選フラグ記憶領域、１３７…設定記憶領域、
１４１…メダルセンサ、１４２…ソレノイド、
２０１、２０３、２０５…左脇の演出用照明部、
２０２、２０４、２０６…、右脇の演出用照明部
３００…メダル払出装置、
３１０…ホッパー、３１１…傾斜面、
３１２…椀状部、３１４…基体部、
３２０…メダル払出部、３２１…ベースプレート、
３２２…払出モータ、３２２ａ…駆動軸、
３２２ｂ…スプライン、３２２ｃ…環状突起部、
３２３…従動軸、３２４…クラッチ、
３２４ａ…噛合面、３２４ｂ…縦溝、
３２４ｃ…バネ収容部、３２４ｄ…係合溝、
３２５…従動ギア、３２５ａ…噛合面、
３２６…コイルバネ、３２７…ソレノイド、
３２８…レバー、３２９…カップリング、
３３０…サブプレート、３３１…放出口、
３４０…搬送ディスク、３４１…捕捉溝、
３４２…押進部、３４３…軸孔、
３５０…撹拌ディスク、３５１…受容口、
３６１、３６２…ピンローラ、３６３…回動アーム、
３６４…支軸、３６５…バネ、
３７１…払出センサ、３７１ａ、３７１ｂ…フォトインタラプタ、
４０１、４２１…フォトセンサ
Ｍ…メダル、
ＤＳ…ソレノイド駆動信号、 ＤＭ…モータ駆動信号、
ＳＭ１、ＳＭ２…メダル検出信号、ＣｐＤ１…払出完了信号、
ＲｑＤ…払出要求信号、ＲｄＹ…準備／作動信号
【図１】
2010166988.tif 000003
【図２】
2010166988.tif 000004
【図３】
2010166988.tif 000005
【図４】
2010166988.tif 000006
【図５】
2010166988.tif 000007
【図６】
2010166988.tif 000008
【図７】
2010166988.tif 000009
【図８】
2010166988.tif 000010
【図９】
2010166988.tif 000011
【図１０】
2010166988.tif 000012
【図１１】
2010166988.tif 000013
【図１２】
2010166988.tif 000014
【図１３】
2010166988.tif 000015
【図１４】
2010166988.tif 000016
【図１５】
2010166988.tif 000017
【図１６】
2010166988.tif 000018
【図１７】
2010166988.tif 000019